(57)【要約】【課題】水平出し作業が容易な水平調整支持装置を提供すること。【解決手段】  水平調整支持装置を、軸線方向の一方の端部または胴部外周に被支持体であるベッド５に螺合するねじ部１０ａを、他方の端部にねじ部１０ａとピッチおよび／またはねじの方向が異なるねじ部１０ｂを備える棒状の調整金具１０と、ねじ部１０ｂに螺合するねじ部２０ａを備える支持座２０とで構成する。ねじ部１０ａとねじ部１０ｂのねじの方向を同じにする場合、調整金具１０を１回転させる毎に、ベッド５の高さは両者のピッチの差だけ変化するので、水平出し作業の作業性を向上させることができる。【選択図】図１
2006125431.tif 000002
【特許請求の範囲】
【請求項１】
軸線方向の一方の端部または胴部外周の前記軸線方向に設けられ、被支持体のねじ部に螺合する第１のねじ部と、前記軸線方向の他方の端部または胴部外周の前記軸線方向に設けられ、前記第１のねじ部と同軸でピッチおよび／またはねじの方向が異なる第２のねじ部とを有する棒状の調整金具と、
前記第２のねじ部に螺合するねじ部が形成された支持座と、  
を備えていることを特徴とする水平調整支持装置。
【請求項２】
前記第１のねじ部と第２のねじ部に形成されるねじが雄ねじであり、前記第２のねじ部の外径が前記第１のねじ部の内径よりも小径であることを特徴とする請求項１に記載の水平調整支持装置。
【請求項３】
前記支持座に複数の前記第２のねじ部が設けられていることを特徴とする請求項１または２に記載の水平調整支持装置。
【発明の詳細な説明】
【技術分野】
【０００１】
本発明は、工作機械等を水平に支持するための水平調整支持装置に関する。
【背景技術】
【０００２】
工作機械において精度に優れる加工をするためには、ワークを載置するテーブルを水平に保つ必要がある。そこで、新たに工作機械を設置する場合は、加工開始に先立ち、水平調整支持装置を用いてテーブルを水平に位置決めする。
【０００３】
図３は、従来の水平調整支持装置の使用状態を示す正面図である。
【０００４】
同図において、台座１の上面には凹部１ａが、下面には円錐状の突起１ｂが、それぞれ形成されている。突起１ｂは床２に設けられた凹部２ａに嵌合している。レベリングボルト３は先端が凹部１ａに当接し、ナット４を介して工作機械のベッド５を高さ方向および水平方向に支持している。ベッド５には、図示を省略するテーブルが支持されている（例えば、特許文献１参照）。
【０００５】
次に、従来の水平調整支持装置によりテーブルを水平にする（以下、「水平出し」という。）手順について説明する。
【０００６】
予め図示を省略するテーブル上に水準器を載置しておく  。
【０００７】
１）ナット６を螺合させたレベリングボルト３をベッド５に設けられた穴５ａに挿通し、ナット４を螺合する。なお、ナット４とナット６の仕様は同じである。  
２）レベリングボルト３の先端を台座１の凹部１ａに当接させた状態でナット４を回転させ、ベッド５を床２から上昇させる。  
３）テーブルが水平になるまでナット４を回転させる。  
４）テーブルが水平になったら、ナット６を締め付けて、ナット４の回り止めをする。
【０００８】
なお、通常、工作機械には複数の水平調整支持装置が配置されており、各水平調整支持装置に対して上記手順３）の動作を繰り返す。  
【特許文献１】特開平８−２１５９６号公報
【発明の開示】
【発明が解決しようとする課題】
【０００９】
ところで、工作機械の性能を維持するためには、水平出し作業を定期的に行う必要がある。
【００１０】
しかし、上記従来の水平調整支持装置の場合、高さの微調整が困難であるだけでなく、ナット４を締め付ける際にナット６が回ってしまう場合があり、作業性が低かった。
【００１１】
本発明の目的は、上記課題を解決し、水平出し作業が容易な水平調整支持装置を提供するにある。
【課題を解決するための手段】
【００１２】
上記課題を解決するため、本発明に係る水平調整支持装置は、軸線方向の一方の端部または胴部外周の前記軸線方向に設けられ、被支持体のねじ部に螺合する第１のねじ部と、前記軸線方向の他方の端部または胴部外周の前記軸線方向に設けられ、前記第１のねじ部と同軸でピッチおよび／またはねじの方向が異なる第２のねじ部と、を備える棒状の調整金具と、前記第２のねじ部に螺合するねじ部を備える支持座と、から構成されることを特徴とする。
【発明の効果】
【００１３】
例えば、調整金具の第１のねじ部と第２のねじ部のねじの方向（螺旋の向き）を同じにする場合、調整金具を１回転させることにより、ベッドの高さは第１のねじ部と第２のねじ部のピッチの差だけ変化する。このため、高さ方向の微調整が容易で、水平出し作業の作業性を向上させることができる。
【発明を実施するための最良の形態】
【００１４】
図１は、本発明に係る水平調整支持装置の使用状態を示す正面図であり、図３と同じものまたは同一機能のものは同一の符号を付して説明を省略する。
【００１５】
本発明に係る水平調整支持装置は、調整金具１０と支持座２０とから構成されている。
【００１６】
調整金具１０の頭部１０ｔは平面視六角形に形成されており、頭部１０ｔ側の胴部外周には第１の雄ねじ１０ａが形成され、先端側の胴部外周には第２の雄ねじ１０ｂが形成されている。雄ねじ１０ｂの外径（山径）は、雄ねじ１０ａの谷径よりも小径である。また、雄ねじ１０ａと雄ねじ１０ｂはいずれも右ねじであるが、雄ねじ１０ａのピッチｐ１は雄ねじ１０ｂのピッチｐ２よりも大きい。
【００１７】
ベッド５には雄ねじ１０ａに螺合する雌ねじ５ｃが複数（同図では２個）形成されている。雌ねじ５ｃの間隔はＬである。
【００１８】
支持座２０には雄ねじ１０ｂに螺合する雌ねじ２０ａが間隔Ｌで２個形成されている。  ナット１１は雄ねじ１０ａに螺合するナットであり、ナット１２は雄ねじ１０ｂに螺合するナットである。
【００１９】
次に、本発明に係る水平調整支持装置により、ベッド５上に載置されたテーブルの水平出しを行う手順について説明する。なお、予め図示を省略するテーブル上に水準器を載置しておく。
【００２０】
ａ）ナット１１を螺合させた調整金具１０をねじ雌ねじ５ｃに挿通し、ナット１２を螺合させる。なお、雄ねじ１０ｂの外径は雌ねじ５ｃの内径より細いので、雄ねじ１０ｂが雌ねじ５ｃに干渉することはない。
【００２１】
ｂ）雄ねじ１０ａを雌ねじ５ｃに螺合させる。
【００２２】
ｃ）雄ねじ１０ｂを雌ねじ２０ａに螺合させる。
【００２３】
なお、ベッド５、調整金具１０および支持座２０の寸法は、図示のように、雄ねじ１０ａが雌ねじ５ｃに螺合し、かつ、雄ねじ１０ｂが雌ねじ２０ａに雄ねじ１０ｂの外径の１．５倍程度螺合した状態でテーブルの水平出しを行うように定められていることが望ましい。
【００２４】
ｄ）テーブルが水平になるまで調整金具１０を回転させる。この実施形態では図示の状態において、調整金具１０を右に回転させることによりベッド５を上昇、左に回転させることによりベッド５を下降させることができ、調整金具１０を１回転させる毎に、ベッド５を（ｐ１−ｐ２）移動させることができる。
【００２５】
ｅ）テーブルが水平になったら、ナット１１とナット１２を締め付け、調整金具１０および支持座２０の回り止めをする。
【００２６】
本発明によれば、調整金具１０の１回転に対するベッド５の移動量が小さいので、水平出し作業が容易である。また、ナット１１、１２を締め付ける際、調整金具１０はほとんど回転せず、回転した場合もその影響は無視できる程度である。
【００２７】
また、１個の支持座２０に複数の雌ねじ２０ａを設けたので、床２の表面が滑らかであっても、調整金具１０を１回転させる際に支持座２０が回転せず、作業が容易である。
【００２８】
なお、この実施形態では、調整金具１０に雄ねじを形成し、ベッド５と支持座２０に雌ねじを形成したが、調整金具１０に雌ねじを形成し、ベッド５と支持座２０に雄ねじを形成するようにしてもよい。
【００２９】
また、雄ねじ１０ａと雄ねじ１０ｂの両者とも右ねじとしたが、用途によっては一方を右ねじ、他方を左ねじとしてもよい。この場合、ベッド５は、調整金具１０を１回転させる毎に雄ねじ１０ａと雄ねじ１０ｂのピッチの和だけ移動する。なお、一方を右ねじ、他方を左ねじとする場合は、ピッチを同じにしてもよい。
【００３０】
また、調整金具１０を回転させるため、頭部１０ｔを六角に形成したが、六角穴付きボルトのように、頭部１０ｔを平面視円形とし、頂部に六角の凹部を設けてもよい。
【００３１】
ところで、１個の支持座２０に複数の雌ねじ２０ａを設ける場合、雌ねじ５ｃと雌ねじ２０ａの位置を精度良く加工する必要がある。そこで、支持座２０を以下のように構成してもよい。
【００３２】
図２は、支持座２０の変形例を示す図であり、（ａ）は平面図、（ｂ）は正面図である。  例えば、床２の表面が滑らかである場合、上記手順ｄ）において、支持座２０が回転してしまう場合があり得る。そこで、同図に示すように、支持座２０にスパナ掛け２０ｒを設けるようにすると、作業性を向上させることができる。
【００３３】
また、本発明に係る水平調整支持装置は、従来の水平調整支持装置を採用していた工作機等に対しても大きな変更をせずに適用することができる。
【図面の簡単な説明】
【００３４】
【図１】本発明に係る水平調整支持装置の使用状態を示す正面図である。
【図２】本発明に係る支持座の変形例を示す図である。
【図３】従来の水平調整支持装置の使用状態を示す正面図である。
【符号の説明】
【００３５】
５  ベッド
１０   調整金具
１０ａ  ねじ部
１０ｂ  ねじ部
２０  支持座
２０ａ  ねじ部
【図１】
2006125431.tif 000003
【図２】
2006125431.tif 000004
【図３】
2006125431.tif 000005